(57)【要約】【課題】開放制御を用いてアイリスの損傷を解決した上で、その開放制御を起因とした映像品質の低下を軽減する。【解決手段】調光部１１０の温度が閾値を超えた状態が第１の時間を超えて、且つ映像コンテンツの再生時間が第１の再生時間から第２の再生時間までの間の調整値の平均値が調整閾値を超えている場合、制御部１５０が第１の再生時間を経過してから第２の再生時間となるまでの間、調光部１１０における射出量を開放とする。【選択図】図１
2019184974.tif 000002
【特許請求の範囲】
【請求項１】
光源ユニットが発する光の射出量を調整する調光部と、
前記光源ユニットからの光を用いて映像コンテンツを再生する際の前記調光部における調整値を、再生時間と対応付けてあらかじめ記憶する記憶部と、
前記調光部の温度を測定する温度計と、
前記映像コンテンツの再生時間と、前記温度計が測定した温度が所定の第１の温度閾値以上となっている状態が継続している絞り時間と、前記絞り時間があらかじめ設定された第１の時間を経過してからの開放時間とを測定するタイマと、
前記絞り時間が前記第１の時間を超えて、且つ前記再生時間が、前記映像コンテンツの再生開始から前記タイマが前記開放時間の測定を開始するまでの時間である第１の再生時間を経過してから、前記第１の再生時間とあらかじめ設定された第２の時間とを加算した第２の再生時間となるまでの間における、前記記憶部が記憶している調整値の平均値が所定の調整閾値を超えている場合、前記再生時間が前記第１の再生時間が経過してから前記第２の再生時間となるまでの間、前記調光部における射出量の調整を開放とする制御部とを有する絞り制御装置。
【請求項２】
請求項１に記載の絞り制御装置において、
前記制御部は、前記絞り時間が前記第１の時間を超えて、且つ前記再生時間が前記第１の再生時間を経過してから前記第２の再生時間となるまでの間における、前記平均値が前記調整閾値以下である場合、前記再生時間が前記第１の再生時間を経過してから前記第２の再生時間となるまでの間、前記温度計が測定した温度が所定の第２の温度閾値を超えると、前記調光部における射出量の調整を開放とする絞り制御装置。
【請求項３】
請求項２に記載の絞り制御装置において、
前記制御部は、前記再生時間が前記第１の再生時間を経過したときに前記温度計が測定した温度を前記第２の温度閾値とする絞り制御装置。
【請求項４】
請求項２に記載の絞り制御装置において、
前記制御部は、前記再生時間が前記第１の再生時間を経過したときに前記温度計が測定した温度よりも高い温度を前記第２の温度閾値とする絞り制御装置。
【請求項５】
請求項１から４のいずれか１項に記載の絞り制御装置において、
前記第２の時間は前記第１の時間よりも長い時間である絞り制御装置。
【請求項６】
請求項１から５のいずれか１項に記載の絞り制御装置と、
前記光源ユニットと、
前記調光部が射出量を調整した光を外部へ出力する投写部とを有するプロジェクタ。
【請求項７】
光源ユニットが発する光の射出量を調整する処理と、
前記射出量を調整する絞り具の温度を測定する処理と、
前記光源ユニットからの光を用いて再生される映像コンテンツの再生時間を測定する処理と、
前記測定した温度が所定の第１の温度閾値以上となっている状態が継続している絞り時間を測定する処理と、
前記絞り時間があらかじめ設定された第１の時間を経過してからの開放時間を測定する処理と、
前記絞り時間が前記第１の時間を超えて、且つ前記再生時間が、前記映像コンテンツの再生開始から前記開放時間の測定を開始するまでの時間である第１の再生時間を経過してから、前記第１の再生時間とあらかじめ設定された第２の時間とを加算した第２の再生時間となるまでの間における、前記再生時間とあらかじめ対応付けられている調整値の平均値が、所定の調整閾値を超えている場合、前記再生時間が前記第１の再生時間が経過してから前記第２の再生時間となるまでの間、前記射出量の調整を開放とする処理とを行う絞り制御方法。
【請求項８】
コンピュータに、
光源ユニットが発する光の射出量を調整する手順と、
前記射出量を調整する絞り具の温度を測定する手順と、
前記光源ユニットからの光を用いて再生される映像コンテンツの再生時間を測定する手順と、
前記測定した温度が所定の第１の温度閾値以上となっている状態が継続している絞り時間を測定する手順と、
前記絞り時間があらかじめ設定された第１の時間を経過してからの開放時間を測定する手順と、
前記絞り時間が前記第１の時間を超えて、且つ前記再生時間が、前記映像コンテンツの再生開始から前記開放時間の測定を開始するまでの時間である第１の再生時間を経過してから、前記第１の再生時間とあらかじめ設定された第２の時間とを加算した第２の再生時間となるまでの間における、前記再生時間とあらかじめ対応付けられている調整値の平均値が、所定の調整閾値を超えている場合、前記再生時間が前記第１の再生時間が経過してから前記第２の再生時間となるまでの間、前記射出量の調整を開放とする手順とを実行させるためのプログラム。
【発明の詳細な説明】
【技術分野】
【０００１】
本発明は、絞り制御装置、プロジェクタ、絞り制御方法およびプログラムに関する。
【背景技術】
【０００２】
多くのプロジェクタでは、光源ユニットが発する光の射出量をアイリス（絞り具）が調整して出力している。このアイリスは、射出量を少なくするように絞った状態を長時間持続すると、光源ユニットからの光熱によって損傷してしまうおそれがある。
【０００３】
そこで、光熱によるアイリスの破損を防止するために、絞りを強制的に開放させる強制開放制御が考えられている（例えば、特許文献１参照。）。強制開放制御とは、アイリスを搭載するプロジェクタにおいて、アイリスにおける絞り量が多い状態が続いた場合に高い光熱によりアイリスが変形・損傷してしまうという課題を解決するための制御である。この制御は、アイリスの温度が一定時間以上、警告温度を超えた状態が続いた場合、アイリスを所定位置まで所定の時間、開放させるというものである。また、この制御において、アイリスの開放中、暗い映像を出力するように映像信号を変調させることで、投写した映像にきたす影響を可能な限り抑える。
【先行技術文献】
【特許文献】
【０００４】
【特許文献１】特開２０１６−８５４６７号公報
【発明の概要】
【発明が解決しようとする課題】
【０００５】
上述した強制開放制御においては、映像の品質が損なわれてしまうおそれがある。
【０００６】
本発明の目的は、上述した課題を解決する絞り制御装置、プロジェクタ、絞り制御方法およびプログラムを提供することである。
【課題を解決するための手段】
【０００７】
本発明の絞り制御装置は、
光源ユニットが発する光の射出量を調整する調光部と、
前記光源ユニットからの光を用いて映像コンテンツを再生する際の前記調光部における調整値を、再生時間と対応付けてあらかじめ記憶する記憶部と、
前記調光部の温度を測定する温度計と、
前記映像コンテンツの再生時間と、前記温度計が測定した温度が所定の第１の温度閾値以上となっている状態が継続している絞り時間と、前記絞り時間があらかじめ設定された第１の時間を経過してからの開放時間とを測定するタイマと、
前記絞り時間が前記第１の時間を超えて、且つ前記再生時間が、前記タイマが前記絞り時間の測定を開始したときの前記再生時間と前記第１の時間とを加算した第１の再生時間を経過してから、前記第１の再生時間とあらかじめ設定された第２の時間とを加算した第２の再生時間となるまでの間における、前記記憶部が記憶している調整値の平均値が所定の調整閾値を超えている場合、前記再生時間が前記第１の再生時間が経過してから前記第２の再生時間となるまでの間、前記調光部における射出量の調整を開放とする制御部とを有する。
また、本発明のプロジェクタは、
光源ユニットが発する光の射出量を調整する調光部と、
前記光源ユニットからの光を用いて映像コンテンツを再生する際の前記調光部における調整値を、再生時間と対応付けてあらかじめ記憶する記憶部と、
前記調光部の温度を測定する温度計と、
前記映像コンテンツの再生時間と、前記温度計が測定した温度が所定の第１の温度閾値以上となっている状態が継続している絞り時間と、前記絞り時間があらかじめ設定された第１の時間を経過してからの開放時間とを測定するタイマと、
前記絞り時間が前記第１の時間を超えて、且つ前記再生時間が、前記映像コンテンツの再生開始から前記タイマが前記開放時間の測定を開始するまでの時間である第１の再生時間を経過してから、前記第１の再生時間とあらかじめ設定された第２の時間とを加算した第２の再生時間となるまでの間における、前記記憶部が記憶している調整値の平均値が所定の調整閾値を超えている場合、前記再生時間が前記第１の再生時間が経過してから前記第２の再生時間となるまでの間、前記調光部における射出量の調整を開放とする制御部とを有する絞り制御装置と、
前記光源ユニットと、
前記調光部が射出量を調整した光を外部へ出力する投写部とを有する。
また、本発明の絞り制御方法は、
光源ユニットが発する光の射出量を調整する処理と、
前記射出量を調整する絞り具の温度を測定する処理と、
前記光源ユニットからの光を用いて再生される映像コンテンツの再生時間を測定する処理と、
前記測定した温度が所定の第１の温度閾値以上となっている状態が継続している絞り時間を測定する処理と、
前記絞り時間があらかじめ設定された第１の時間を経過してからの開放時間を測定する処理と、
前記絞り時間が前記第１の時間を超えて、且つ前記再生時間が、前記映像コンテンツの再生開始から前記開放時間の測定を開始するまでの時間である第１の再生時間を経過してから、前記第１の再生時間とあらかじめ設定された第２の時間とを加算した第２の再生時間となるまでの間における、前記再生時間とあらかじめ対応付けられている調整値の平均値が、所定の調整閾値を超えている場合、前記再生時間が前記第１の再生時間が経過してから前記第２の再生時間となるまでの間、前記射出量の調整を開放とする処理とを行う。
また、本発明のプログラムは、
コンピュータに実行させるためのプログラムであって、
光源ユニットが発する光の射出量を調整する手順と、
前記射出量を調整する絞り具の温度を測定する手順と、
前記光源ユニットからの光を用いて再生される映像コンテンツの再生時間を測定する手順と、
前記測定した温度が所定の第１の温度閾値以上となっている状態が継続している絞り時間を測定する手順と、
前記絞り時間があらかじめ設定された第１の時間を経過してからの開放時間を測定する手順と、
前記絞り時間が前記第１の時間を超えて、且つ前記再生時間が、前記映像コンテンツの再生開始から前記開放時間の測定を開始するまでの時間である第１の再生時間を経過してから、前記第１の再生時間とあらかじめ設定された第２の時間とを加算した第２の再生時間となるまでの間における、前記再生時間とあらかじめ対応付けられている調整値の平均値が、所定の調整閾値を超えている場合、前記再生時間が前記第１の再生時間が経過してから前記第２の再生時間となるまでの間、前記射出量の調整を開放とする手順とを実行させる。
【発明の効果】
【０００８】
以上説明したように、本発明においては、開放制御を用いてアイリスの損傷を解決した上で、その開放制御を起因とした映像品質の低下を軽減することができる。
【図面の簡単な説明】
【０００９】
【図１】本発明の絞り制御装置の第１の実施の形態を示す図である。
【図２】第１の時間、第２の時間、第１の再生時間および第２の再生時間の一例を説明するための図である。
【図３】図１に示した絞り制御装置における絞り制御方法の一例を説明するためのフローチャートである。
【図４】本発明の絞り制御装置の第２の実施の形態を示す図である。
【図５】図４に示したプロジェクタの内部構成の一例を示す図である。
【図６】図５に示した記憶部が記憶している予測テーブルの一例を示す図である。
【図７】図５に示したプロジェクタにおける絞り制御方法の一例を説明するためのフローチャートである。
【図８】図５に示したプロジェクタにおける絞り制御方法の一例を説明するためのフローチャートである。
【図９】アイリスの一般的な強制制御を行った場合のそれぞれの時間と温度との関係の一例を示す図である。
【発明を実施するための形態】
【００１０】
本発明は、アイリス（絞り具）の絞り量をあらかじめシミュレートした結果に基づいて、強制開放制御を発動する予定の時刻よりも後に絞り量の低い状態が続くことが確認できた場合、その絞り量の低い状態は強制開放制御を用いたアイリスの冷却能力に相当すると判断し、強制開放制御を必要最小限に行うことを特徴に持つ。これにより、本発明は、アイリスを具備したプロジェクタ等の映像投写装置に一般的に用いられている技術である強制開放制御を効率良く実施する。
【００１１】
以下に本発明の実施の形態について図面を参照して説明する。
（第１の実施の形態）
【００１２】
図１は、本発明の絞り制御装置の第１の実施の形態を示す図である。本形態における絞り制御装置１００は図１に示すように、調光部１１０と、記憶部１２０と、温度計１３０と、タイマ１４０と、制御部１５０とを有する。図１には、本形態における絞り制御装置１００が具備する構成要素のうち、本実施の形態に関わる主要な構成要素の一例を示す。
【００１３】
調光部１１０は、光源ユニットが発する光の射出量を調整する。
記憶部１２０は、光源ユニットからの光を用いて映像コンテンツを再生する際の調光部１１０における調整値を、再生時間と対応付けてあらかじめ記憶する。
温度計１３０は、調光部１１０の温度を測定する。
タイマ１４０は、映像コンテンツの再生時間を測定する。また、タイマ１４０は、温度計１３０が測定した温度が所定の第１の温度閾値以上となっている状態が継続している絞り時間を測定する。また、タイマ１４０は、絞り時間があらかじめ設定された第１の時間を経過してからの開放時間を測定する。
制御部１５０は、絞り時間が第１の時間を超えて、且つ再生時間が、映像コンテンツの再生開始からタイマ１４０が開放時間の測定を開始するまでの時間（タイマ１４０が絞り時間の測定を開始したときの再生時間と第１の時間とを加算した時間）である第１の再生時間を経過してから、第１の再生時間とあらかじめ設定された第２の時間とを加算した第２の再生時間となるまでの間における、記憶部１２０が記憶している調整値の平均値が所定の調整閾値を超えている場合、再生時間が第１の再生時間が経過してから第２の再生時間となるまでの間、調光部１１０における射出量の調整を開放とする。
【００１４】
以下に、上述した第１の時間、第２の時間、第１の再生時間および第２の再生時間について説明する。図２は、第１の時間、第２の時間、第１の再生時間および第２の再生時間の一例を説明するための図である。
【００１５】
図２に示すように、絞り時間は、温度計１３０が測定した温度があらかじめ設定された第１の温度閾値以上となっている状態が継続している時間である。また、第１の時間は、あらかじめ設定された時間であって、タイマ１４０が絞り時間の測定を開始してから、制御部１５０が調光部１１０を強制的に開放する場合にその強制開放を開始するまでの時間である。また、開放時間は、制御部１５０が強制開放を行ってからの時間である。また、第２の時間は、あらかじめ設定された時間であって、制御部１５０が調光部１１０を強制的に開放した場合にその強制開放を終了するまでの時間である。再生時間は、コンテンツの再生を開始してからの時間である。また、第１の再生時間は、映像コンテンツの再生開始からタイマ１４０が開放時間の測定を開始するまでの時間（タイマ１４０が絞り時間の測定を開始したときの再生時間と第１の時間とを加算した時間）である。また、第２の再生時間は、第１の再生時間と第２の時間とを加算した時間である。
【００１６】
以下に、図１に示した絞り制御装置１００における絞り制御方法について説明する。図３は、図１に示した絞り制御装置１００における絞り制御方法の一例を説明するためのフローチャートである。
【００１７】
まず、コンテンツが再生されると（ステップＳ１）、タイマ１４０は、再生時間の測定を開始する（ステップＳ２）。また、温度計１３０が、調光部１１０の温度の測定を開始する（ステップＳ３）。その後、制御部１５０は、温度計１３０が測定した温度があらかじめ設定された第１の温度閾値以上となっているかどうかを判定する（ステップＳ４）。温度計１３０が測定した温度が第１の温度閾値以上となっている場合、タイマ１４０がリセットして絞り時間の測定を開始する（ステップＳ５）。また、制御部１５０は、記憶部１２０が記憶している、コンテンツの再生時間と調整値との対応付けを読み出す。制御部１５０は、図２を用いて説明した第１の再生時間から第２の再生時間までの間の調整値の平均値（時間平均）を計算する（ステップＳ６）。
【００１８】
制御部１５０は、計算した平均値があらかじめ設定された調整閾値を超えているかどうかを判定する（ステップＳ７）。計算した平均値があらかじめ設定された調整閾値を超えていない場合、ステップＳ４の処理が行われる。一方、計算した平均値があらかじめ設定された調整閾値を超えている場合、制御部１５０は、温度計１３０が測定している温度が第１の温度閾値以上となっている状態が継続しているかどうかを判定する（ステップＳ８）。温度計１３０が測定している温度が第１の温度閾値以上となっている状態が継続していない場合、ステップＳ４の処理が行われる。一方、温度計１３０が測定している温度が第１の温度閾値以上となっている状態が継続している場合、制御部１５０は、タイマ１４０が測定している絞り時間があらかじめ設定された第１の時間を超えたかどうかを判定する（ステップＳ９）。タイマ１４０が測定している絞り時間があらかじめ設定された第１の時間を超えていない場合、ステップＳ８の処理が行われる。一方、タイマ１４０が測定している絞り時間があらかじめ設定された第１の時間を超えた場合、タイマ１４０は、開放時間の測定を開始する（ステップＳ１０）。また、制御部１５０は、調光部１１０における射出量の調整を開放とする（ステップＳ１１）。その後、制御部１５０は、タイマ１４０が測定している開放時間があらかじめ設定された第２の時間を経過したかどうかを判定する（ステップＳ１２）。タイマ１４０が測定している開放時間があらかじめ設定された第２の時間を経過した場合、制御部１５０は、調光部１１０における射出量の調整を元に戻す（ステップＳ１３）。
【００１９】
このように、強制開放する期間において、本来のコンテンツの再生における調整値の平均値が所定の値を超える場合にのみ調光部の強制開放を行い、そうでない場合は強制開放を行わない。これにより、開放制御を起因とした映像品質の低下を軽減することができる。
（第２の実施の形態）
【００２０】
図４は、本発明の絞り制御装置の第２の実施の形態を示す図である。本形態における絞り制御装置は、図４に示したプロジェクタ１０１に具備されている。
外部端末２０１は、記憶部２１１と、通信部２２１とを有する。記憶部２１１は、映像コンテンツを記憶する。通信部２２１は、記憶部２１１から映像コンテンツを読み出して、プロジェクタ１０１へ送信する。外部端末２０１は、ＰＣ（Ｐｅｒｓｏｎａｌ  Ｃｏｍｐｕｔｅｒ）等の通信機能を有する電子機器である。
スクリーン３０１は、プロジェクタ１０１が投写した光を映す媒体である。
【００２１】
図５は、図４に示したプロジェクタ１０１の内部構成の一例を示す図である。図４に示したプロジェクタ１０１は図５に示すように、記憶部１２１と、タイマ１４１と、制御部１５１と、調光装置駆動部１６１と、光学駆動部１７１と、光学部１８１と、投写光学駆動部１９１と、投写光学部１９２とを有する。
【００２２】
記憶部１２１は、通信制御部１５１３が受信した映像コンテンツを記憶する。また、記憶部１２１は、制御部１５１が作成した絞り量の予測テーブルを保存する。この予測テーブルは、光源ユニットとなる光源１８１２からの光を用いて映像コンテンツを再生する際の調光装置１８１１における調整値と、映像コンテンツの再生時間と対応付けたテーブルである。さらに、記憶部１２１は、制御プログラム１２１１を記憶する。制御プログラム１２１１は、制御部１５１が、本発明の絞り量の予測テーブルを含む、プロジェクタ１０１の各構成要素の制御値を算出して作成されたプログラムである。
【００２３】
図６は、図５に示した記憶部１２１が記憶している予測テーブルの一例を示す図である。図５に示した記憶部１２１は図６に示すように、映像コンテンツの再生時間と、そのときの調光装置１８１１における調整値である光の絞り量（％）とをあらかじめ対応付けて記憶している。この予測テーブルは、再生される映像コンテンツについてあらかじめシミュレートした結果に基づいて作成されるものである。
【００２４】
この予測テーブルの作成方法について説明する。まず、制御部１５１は、動画像ファイルから選択した１フレームの画像データを記憶部１２１のフレームメモリ上に展開する。続いて、制御部１５１は、フレームメモリ上の画像データから輝度分布を算出し、算出した輝度分布に基づいて、選択したフレームを投写するために最適な調光装置１８１１における絞り量の予測値を推定する。このような一連の処理を制御部１５１が動画像ファイルの先頭フレームから終端のフレームまで繰り返し行うことで、当該動画像の時間軸上での再生時刻と、その時刻における調光絞り推定量とを対応付けた絞り量予測テーブルを作成する。
【００２５】
タイマ１４１は、映像コンテンツの再生時間を測定する。また、タイマ１４１は、温度センサ１３１が測定した温度が所定の第１の温度閾値以上となっている状態が継続している絞り時間を測定する。また、タイマ１４１は、絞り時間があらかじめ設定された第１の時間を経過してからの開放時間を測定する。
【００２６】
制御部１５１は、プロジェクタ１０１の各構成要素を制御する。制御部１５１は、調光制御部１５１１と、表示制御部１５１２と、通信制御部１５１３とを有する。
調光制御部１５１１は、アイリスの駆動部である調光装置駆動部１６１を制御する。調光制御部１５１１は、絞り時間が第１の時間を超えて、且つ再生時間が第１の再生時間を経過してから第２の再生時間となるまでの間における、記憶部１２１が記憶している調整値の平均値が所定の調整閾値を超えている場合、再生時間が第１の再生時間が経過してから第２の再生時間となるまでの間、調光装置１８１１における射出量の調整を開放とするように調光装置駆動部１６１を駆動させる。また、調光制御部１５１１は、絞り時間が第１の時間を超えて、且つ再生時間が第１の再生時間を経過してから第２の再生時間となるまでの間における、記憶部１２１が記憶している調整値の平均値が調整閾値以下である場合、再生時間が第１の再生時間を経過してから第２の再生時間となるまでの間、温度センサ１３１が測定した温度があらかじめ設定された第２の温度閾値を超えると、調光装置１８１１における射出量の調整を開放とするように調光装置駆動部１６１を駆動させる。なお、第１の時間、第２の時間、第１の再生時間および第２の再生時間は、第１の実施の形態で説明したものである。また、第２の温度閾値は、再生時間が第１の再生時間を経過したときに温度センサ１３１が測定した温度、もしくは、再生時間が第１の再生時間を経過したときに温度センサ１３１が測定した温度よりも高い温度である。
表示制御部１５１２は、光源１８１２の点灯を制御する。
通信制御部１５１３は、外部端末２０１から送信されてきた映像コンテンツを受信する。
【００２７】
調光装置駆動部１６１は、制御部１５１からの制御に基づいて、光源１８１２が発する光の射出量を絞り、輝度を調整するように調光装置１８１１を駆動する。
光学駆動部１７１は、光源１８１２を機械的に制御する。
【００２８】
光学部１８１は、温度センサ１３１と、光源１８１２と、アイリスである調光装置１８１１とを有する光学ユニットである。
温度センサ１３１は、調光装置１８１１の温度を測定する。
光源１８１２は、映像を投写する際、発光する光源ユニットである。
調光装置１８１１は、光源１８１２が発する光の射出量を調整する調光部（アイリス：絞り具）である。調光装置１８１１は、光の射出量を絞ることで映像の輝度を調整する。
【００２９】
投写光学駆動部１９１は、投写光学部１９２の駆動、調整を機械的に行う。
投写光学部１９２は、レンズを含むアイリスを用いて調整された投写光を、スクリーン３０１へ投写する投写部である。
【００３０】
図５に示した構成要素のうち、記憶部１２１、温度センサ１３１、タイマ１４１、制御部１５１および調光装置１８１１で本発明の絞り制御装置を構成する。
【００３１】
以下に、図５に示したプロジェクタ１０１における絞り制御方法について説明する。図７および図８は、図５に示したプロジェクタ１０１における絞り制御方法の一例を説明するためのフローチャートである。ここで、プロジェクタ１０１が再生する映像コンテンツは、すでに外部端末２０１から送信され、記憶部１２１に記憶されているものとする。また、この映像コンテンツに関して、予測テーブルが作成され、記憶部１２１に記憶されているものとする。
【００３２】
まず、プロジェクタ１０１の電源が投入され（ステップＳ２１）、再生される映像コンテンツが選択されると（ステップＳ２２）、制御部１５１は、選択された映像コンテンツが再生可能なデータであるかどうかを判定する（ステップＳ２３）。選択された映像コンテンツが再生可能なデータでなければ、制御部１５１は、選択された映像コンテンツの再生を行わない（ステップＳ２４）。一方、選択された映像コンテンツが再生可能なデータであれば、制御部１５１は、選択された映像コンテンツを再生する（ステップＳ２５）。
【００３３】
制御部１５１が映像コンテンツの再生を開始すると、温度センサ１３１がアイリスである調光装置１８１１の温度の測定を開始する（ステップＳ２６）。この測定は、継続して行われるものである。すると、制御部１５１は、温度センサ１３１が測定した温度があらかじめ設定された警告温度１以上となっているかどうかを判定する（ステップＳ２７）。ここで、警告温度１はあらかじめ設定された第１の温度閾値である。警告温度１は、アイリスが光熱により変形、損傷する温度よりも低く、余裕を持った数値が好ましいが、本形態においては１５０℃である場合を例に挙げて説明する。
温度センサ１３１が測定した温度が警告温度１以上となっていない場合、温度センサ１３１はさらに温度の測定を続ける。一方、温度センサ１３１が測定した温度が警告温度１以上となっている場合は、制御部１５１は、アイリス機能が正常に動作するかどうかを判定する（ステップＳ２８）。この判定は、例えば、それまでにアイリス機能に関する障害通知が上がっていないか等を制御部１５１が確認することで判定するもので良い。
アイリス機能が正常に動作しないと制御部１５１が判定した場合、プロジェクタ１０１を動作させることは危険であり、原因に様々な要因が考えられる。そのため、制御部１５１は、プロジェクタ１０１の電源を切断する（ステップＳ２９）。一方、アイリス機能が正常に動作すると制御部１５１が判定した場合は、温度センサ１３１が測定した温度が警告温度１以上である状態が一定時間以上続いた場合の冷却処理を行うための絞り時間の測定をタイマ１４１が開始する（ステップＳ３０）。ここで、絞り時間がタイムアウトする閾値となる第１の時間は、アイリスの過熱温度が警告温度１を大きく上回らないような時間に設定することが好ましいが、本形態においては３分間である場合を例に挙げて説明する。なお、制御部１５１は、タイマ１４１が絞り時間の測定を開始した時の映像コンテンツの再生時間を記憶部１２１に記憶させておく。また、タイマ１４１は、プロジェクタ１０１の利用者の外部からの操作に基づいて一時停止された場合でも絞り時間の測定を続ける。
【００３４】
続いて、制御部１５１は、タイマ１４１が測定している絞り時間が第１の時間となる時刻を算出する。具体的には、制御部１５１は、記憶部１２１に記憶させた、タイマ１４１が絞り時間の測定を開始した時の映像コンテンツの再生時間と第１の時間とを加算して第１の再生時間とする。また、制御部１５１は、第１の再生時間と、あらかじめ設定された第２の時間とを加算して第２の再生時間とする。ここで、第２の時間は、一般的な強制開放制御において、アイリスを強制開放する時間として設定されるものである。本形態において第２の時間は、１０分間である場合を例に挙げて説明する。このように、制御部１５１は、タイムアウトする（第１の時間となる）時刻を計算する（ステップＳ３１）。
【００３５】
続いて、制御部１５１は、記憶部１２１に記憶されている予測テーブルを参照し、予測テーブルにおいて第１の再生時間から第２の再生時間までの間の調整値（絞り量）の平均値を計算する（ステップＳ３２）。さらに、制御部１５１は、温度センサ１３１が測定している温度が警告温度１を下回ったかどうかを判定する（ステップＳ３３）。温度センサ１３１が測定している温度が警告温度１を下回った場合、ステップＳ２６の処理が行われる。一方、温度センサ１３１が測定している温度が警告温度１を下回っていない場合、制御部１５１は、タイマ１４１が測定している絞り時間がタイムアウトしたかどうか、つまり絞り時間が第１の時間となったかどうかを判定する（ステップＳ３４）。
【００３６】
タイマ１４１が測定している絞り時間が第１の時間となった場合、温度センサ１３１が測定している温度が警告温度１を超えている状態が第１の時間以上継続していることとなる。その場合、制御部１５１は、ステップ３２において計算した平均値があらかじめ設定されている調整閾値以下（例えば、５０％以下）であるかどうかを判定する（ステップＳ３５）。このとき、タイマ１４１は、開放時間の測定を開始する。また、平均値が調整閾値を超える値である場合、制御部１５１は調光装置駆動部１６１に対して調光装置１８１１の強制開放を行うように制御することで、アイリスの強制開放制御を行う（ステップＳ３６）。
【００３７】
一方、平均値が調整閾値以下である場合は、制御部１５１は本来動作する強制開放制御をキャンセルする（ステップＳ３７）。続いて、制御部１５１は、タイマ１４１が測定している絞り時間がタイムアウトしたときの、温度センサ１３１が測定した温度に応じた温度を警告温度２として記憶部１２１に記憶させる（ステップＳ３８）。この警告温度２は、タイマ１４１が測定している絞り時間がタイムアウトしたときの警告温度１を大きく上回らないような第２の温度閾値であって、例えば、警告温度１に５℃を加えた温度であっても良い。
【００３８】
その後、制御部１５１は、タイマ１４１が測定している絞り時間がタイムアウト後、１０分間（タイマ１４１が測定している開放時間が第２の時間になるまでの時間）に、温度センサ１３１が測定している温度が警告温度２以上となったかどうかを判定する（ステップＳ３９）。
【００３９】
温度センサ１３１が測定している温度が警告温度２以上となった場合、ステップＳ３６の処理が行われる。一方、温度センサ１３１が測定している温度が警告温度２以上とならなかった場合は、ステップＳ２６の処理が行われる。
【００４０】
図９は、アイリスの一般的な強制制御を行った場合のそれぞれの時間と温度との関係の一例を示す図である。図９では、警告温度が１５０℃であり、絞り時間のタイムアウト値が３分間であり、開放時間のタイムアウト値が１０分間である場合を例に挙げている。
図９に示した例では、映像コンテンツの再生時間が００：３０：０１（図９に示したＡの時点）でアイリスの温度が温度閾値１５０℃を超えて、絞り時間の測定を開始する。Ａの時点からタイムアウト値である３分間が経過しても、アイリスの温度が警告温度１を下回らない場合、光熱からアイリスが受けた損傷を回復させる目的で開放制御を行い、１秒後に開放時間の測定を開始する。強制開放制御および開放時間の測定は、アイリスの損傷を確実に回復するために必ず５分間は開放を続ける制御である。
図９に示したＢの時点では、絞り時間の測定中にアイリスの絞り量が下がり始めているが、絞り量を下げてもアイリスの温度がすぐには下がらない。そのため、アイリスの温度が警告温度を下回ることができず、Ｃの時点で開放制御（絞り量を０％とする）に移っている。
しかしながら、Ｃの時点以降の数分間はアイリスの絞り量が低い状態が続くため、アイリスの温度が下がり始めている兆候がある。この場合、絞り量の低い映像を投写しているにも関わらず開放制御を行っていることとなり、Ｃの時点以降の数分間で開放制御を行う必要がないとも考えられる。
【００４１】
本発明では、事前のシミュレートの結果を用いて絞り量の予測を行う。そのため、図９に示した再生時間と通常の絞り量との対応付けの映像コンテンツが再生されている場合、調整閾値を５０％とすると、Ｃの時点から開放時間がタイムアウトするまでの間の絞り量の平均値が５０％以下となり、制御部１５１が強制開放制御を行う必要がないと判定して開放制御をキャンセルする。これにより、Ｃの時点以降の映像の品質を保つ。
【００４２】
ここで、絞り量の予測値がシミュレートの結果であることや、映像コンテンツの再生の一時停止、フリーズ、プロジェクタの動作環境に起因してシミュレート結果と異なる絞り量となっている可能性があること等を考慮して、さらに温度センサ１３１が測定している温度を監視するものであっても良い。例えば、プロジェクタ１０１が受け付けた利用者の操作に基づいて、アイリスの絞り量がやや高い位置で映像コンテンツの再生を一時停止した時、アイリスの冷却が十分に行えない可能性がある。そのような場合、絞り時間がタイムアウトしたときの温度を警告温度２として、タイマ１４１が開放時間の測定を開始し、あらかじめ設定された第２の時間を開放時間が超えるかどうかを制御部１５１が監視する。この第２の時間は第１の時間よりも長い時間に設定される。図９に示した例では、絞り時間がタイムアウトしたとき（第１の時間になったとき）の温度１６２℃を絞り量の予測的に上回らないような温度（例えば、１６７℃）を警告温度２として記憶部１２１が記憶しておく。Ｃの後、タイマ１４１が測定している開放時間が第２の時間（１０分間）になるまでの間に、温度センサ１３１が測定している温度が警告温度２を超えるかどうかを監視する。タイマ１４１が測定している開放時間が第２の時間になるまでに温度センサ１３１が測定している温度が警告温度２を超えた場合、制御部１５１はアイリスの強制開放制御を行う。このような制御を行うと、さらにアイリスが変形・損傷する可能性は低くなる。
【００４３】
このように、時刻ごとの絞り量のシミュレート結果に基づいて、強制開放制御を実施する必要があるか判定を行うことで、不必要な開放制御を行わない。その結果、アイリスの損傷を開放制御により解決した上で、その開放制御による映像品質の低下を軽減する効果がある。
（他の実施の形態）
【００４４】
なお、制御部１５１は、アイリスの開放制御を行う際、アイリスを全開放とせずに、ある割合（例えば、９０％）の開放とするものであっても良い。
【００４５】
一般的には、この絞り時間がタイムアウトしたとき、つまり、タイマ１４１が測定している絞り時間が第１の時間となったときに、アイリスの強制開放制御と同時に開放タイマを１０分間（過熱したアイリスが冷却されるまでに要する時間の目安）起動させる。
本発明は、絞り時間の測定が開始された時点で、制御部１５１は、記憶部１２１に記憶されている絞り量の予測テーブルを参照する。絞り時間が第１の時間が経過した後、第２の時間となるまでの間（例えば、１０分間であって、一般的な方法では開放制御を行っている時間）、予測絞り量の平均値が所定の閾値（例えば、５０％）を下回っていれば、それを開放制御の冷却能力に遜色ないものと判定し、制御部１５１は、その間は開放制御を行わない。これにより、先行技術よりも効率的にアイリスの過熱防止制御を行っているという点で本発明に優位性がある。
【００４６】
以上、各構成要素に各機能（処理）それぞれを分担させて説明したが、この割り当ては上述したものに限定しない。また、構成要素の構成についても、上述した形態はあくまでも例であって、これに限定しない。また、各実施の形態を組み合わせたものであっても良い。
【００４７】
上述した各構成要素が行う処理は、目的に応じてそれぞれ作製された論理回路で行うようにしても良い。また、処理内容を手順として記述したコンピュータプログラム（以下、プログラムと称する）を各構成要素を具備した装置（以下、情報処理装置と称する）にて読取可能な記録媒体に記録し、この記録媒体に記録されたプログラムを情報処理装置に読み込ませ、実行するものであっても良い。情報処理装置にて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃ、ＵＳＢ（Ｕｎｉｖｅｒｓａｌ  Ｓｅｒｉａｌ  Ｂｕｓ）メモリなどの移設可能な記録媒体の他、情報処理装置に内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、情報処理装置に設けられたＣＰＵにて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００４８】
１００    絞り制御装置
１０１    プロジェクタ
１１０    調光部
１２０，１２１，２１１    記憶部
１３０    温度計
１３１    温度センサ
１４０，１４１    タイマ
１５０，１５１    制御部
１６１    調光装置駆動部
１７１    光学駆動部
１８１    光学部
１９１    投写光学駆動部
１９２    投写光学部
２０１    外部端末
２２１    通信部
３０１    スクリーン
１２１１    制御プログラム
１５１１    調光制御部
１５１２    表示制御部
１５１３    通信制御部
１８１１    調光装置
１８１２    光源
【図１】
2019184974.tif 000003
【図２】
2019184974.tif 000004
【図３】
2019184974.tif 000005
【図４】
2019184974.tif 000006
【図５】
2019184974.tif 000007
【図６】
2019184974.tif 000008
【図７】
2019184974.tif 000009
【図８】
2019184974.tif 000010
【図９】
2019184974.tif 000011